【事件の表示】
　特願２００１−２７７６５１「写真シール自動販売方法とその装置」拒絶査定不服審判事件〔平成１５年　３月１９日出願公開、特開２００３−　８４３５６〕について、次のとおり審決する。
【結　論】
　本件審判の請求は、成り立たない。
【理　由】
１．手続の経緯・本願発明
　本願は、平成１３年９月１３日の出願であって、その請求項１に係る発明（以下、「本願発明」という。）は、平成１６年８月６日付けの手続補正書により補正された明細書及び図面の記載からみて、その特許請求の範囲の請求項１に記載された次のとおりのものと認める。
　「複数の照明手段で被写体を照明し、照明した前記被写体を動画及び静止画として撮像手段で撮像し、少なくとも撮像している被写体の動画をディスプレイに表示し、前記撮像した静止画の撮像画像を編集手段で編集し、前記編集した編集画像及び／又は前記静止画の撮像画像を印刷手段で印刷し、前記印刷した写真シールを販売する写真シール自動販売方法であって、上下方向に移動可能かつ上下方向に角度変更可能で、前記撮像手段を設けた撮像ユニットの撮像位置及び／又は撮像角度の可動を許容して撮像すると共に、上下方向に移動可能かつ上下方向に角度変更可能で、白熱灯とストロボ照明装置とをそれぞれ備えた前記複数の照明手段の照明位置及び／又は照明角度をそれぞれ別個に、かつ前記撮像ユニットの可動とは別個に可動を許容して、前記動画の撮像時には、少なくとも前記白熱灯により被写体を照明して、被写体に該被写体の動画を確認させ、前記静止画の撮像時には、少なくとも前記ストロボ照明装置並びにストロボ照明装置を備えた可動しない固定照明手段により被写体を照明する写真シール自動販売方法。」
　
２．当審の拒絶理由
　一方、当審において平成１６年６月１日付けで通知した拒絶の理由の概要は、本願発明は、本願の出願前に頒布された、特開２００１−７５１５４号公報、特開２０００−２４１８５７号公報、特開２００１−１００３０５号公報、特開平１１−３２７０１２号公報、特開２０００ー２７５７０２号公報、特開平５−５０５４７３号公報に記載された発明に基づいて当業者が容易に発明をすることができたものであるから、特許法第２９条第２項の規定により特許を受けることができない、というものである。
　
３．引用例
　当審の拒絶理由で提示した特開２００１−７５１５４号公報（以下、「引用例１」という。）には、
　「被写体を前方から撮影する撮影装置と、入力操作部と、撮影した像を写真シールにして出力する写真シール出力部とを備える写真シール作成機において、被写体を後方から照明する後方照明部を前記撮影装置の撮影範囲に配置したことを特徴とする写真シール作成機。」（【請求項１】）
　「【発明の実施の形態】以下、この発明を実施の形態に基づいて説明する。一実施形態に係る写真シール作成機のシステム構成を示すブロック図を図１に示す。この実施形態の写真シール作成機は、入力操作部１と、表示部２と、撮影データ画像合成部（システム処理部）３と、撮影制御部４と、カメラ位置角度駆動制御部５と、前方照明制御部６ａと、後方照明制御部６ｂと、ハイキーカラー画像処理部７と、印刷部８とを備える。」（段落【０００７】）
　「このように構成されたカメラ移動機構１３では、入力操作部１２に設けられた上昇又は下降ボタンを押すと、押している間はモータ２２が作動し、ベルト２９が一方向又は反対方向に移動することで、カメラ支持体４０がガイドレール３０に沿って上下に移動する。入力操作部１２の首振りボタンを押すと、押している間はモータ４３が作動し、円板４４の回転に伴うアーム４５の偏心回転により、カメラ５０が首振り動作をする。」（段落【００１６】）
　「この上昇ボタン、下降ボタン、ズームボタン及び首振りボタンを操作することで、個人差にかかわらず、ユーザＭの全身のどの範囲までを写真に撮るか、希望の上下位置と角度にカメラ５０を移動させることができる（図３及び図４参照）。・・・・。」（段落【００１７】）
　「次に、上記写真シール作成機における照明部について説明する。図２において、被写体を前方から照明する前方照明部７０ａ，７０ｂは、前面パネルの上部両側にそれぞれ角度調整可能に設けられ、照明の向きを調整できるようになっている。被写体を後方から照明する後方照明部７１は、作成機の後方に立設された２本の支柱６０に架設された支持梁８１に固定金具８０で取付けられている。また、両支柱６０間にはカーテン６１が張られ、このカーテン６１に開口が形成され、その開口から後方照明部７１の前部が突出している（図８参照）。なお、図面には示していないが、被写体を側方（右と左）から照明する側方照明部が作成機の両横側にそれぞれ設けられている。」（段落【００１８】）
　「上記後方照明部７１では、・・・・・・光源の蛍光灯８５としては、サークラインタイプである必要はなく、直管タイプや電球タイプのものでもよく、或いは白熱球を用いても構わない。また、蛍光灯の発光色も、白色、昼光色などを問わない。」（段落【００２２】
　「この後方照明部移動機構１３０により、後方照明部７１を可動範囲内で任意の上下位置に移動させることができる。なお、後方照明部７１の移動は、前記入力操作部１２に設けられた上昇又は下降ボタンを押すことで行うようにすればよい。このように構成した写真シール作成機では、被写体が後方照明部７１により後方から照明されるので、撮影された写真は逆光効果のあるものとなり、前方からの照明だけとは全く異なる趣の写り方を醸し出すことができ、娯楽性がより高くなる。」（段落【００３０】）
との記載があり、これらの記載から引用例１には、
　「複数の前方照明部、後方照明部、被写体を左右側方から照明する側方照明部で被写体を照明し、照明した前記被写体を撮像装置で撮像し、前記撮像した撮像データ画像を撮影データ画像合成部で合成し、撮影した像を印刷部で印刷し、写真シールを作成する方法であって、前方照明部の照明角度、蛍光灯や白熱電球による後方照明部の位置をそれぞれ別個に調節し、カメラ支持体がガイドレールに沿って上下に移動し、首振りボタンにより、首振り動作をするカメラにより撮影する方法。」
の発明（以下、「引用発明１」という。）が記載されているものと認める。
　また、同特開２００１−１００３０５号公報（以下、「引用例２」という。）には、写真自販機の従来例を、
　「上記写真自販機では、ハーフミラー５３を透してカメラ５５で撮影された画像がモニタ５６に表示され、このモニタ５６に表示された画像がハーフミラー５３に反射して被写体５４によって確認できるようになっている。そして、被写体は、モニタ５６に映った自分の姿を確認しながら所望のポーズをとり、好みのところでコントローラ５１を操作して静止画を撮影することが行われる。そして、この静止画は、適当なフレームや前景の画像と合成されて写真プリント５８として印刷される。」（段落【０００３】）
と記載するとともに、
　「すなわち、本発明の第１の写真自販機は、被写体を撮影するカメラがスライド可能に取り付けられたレールが設けられ、上記レール上でカメラが回動しうるように構成されている。このため、上記レールをスライドしながら回動するカメラで被写体を撮影することにより、変化に富んださまざまなカメラアングルでの撮影が可能となり、利用者の多様なニーズに応えることができる。」（段落【００１１】）
　「本発明の第２の写真自販機は、異なる色の光を照射する複数の光源が設けられ、上記光源のうち任意の光源を選択して照射させる光源選択手段が設けられている。このため、異なる色の光源のなかから任意の光源を選択して被写体を撮影することにより、好みの色彩がかった変化に富んだ撮影が可能となり、利用者の多様なニーズに応えることができる。」（段落【００１２】）
　「本発明の写真自販機において、被写体の前景や背景等の画像を記憶する画像記憶手段と、カメラで撮影された被写体の撮影画像と上記画像記憶手段の記憶画像とを合成する画像合成手段と、上記画像合成手段で合成された合成画像を表示する画像表示手段と、上記合成画像を印刷する印刷手段とを備えている場合には、さまざまなカメラアングルから撮影された画像やさまざまな色彩がかった画像に、利用者が好みの記憶画像を合成して表示し、印刷することができる。」（段落【００１４】）
　「本発明の写真自販機において、画像表示手段が、カメラで撮影した画像を被写体自身で確認できるようになっている場合には、被写体は、画像表示手段に映る自分の画像を見ながら好みのポーズをとることができる。」（段落【００１７】）
　「そして、使用者２が操作部１６を操作することにより、上記カメラ６をレール１０上でスライド移動させるとともに、上記レール１０上で上下左右に回動させ、このカメラ６の移動および回動によって被写体２を撮影するカメラアングルが無段階に変化する。そして、ディスプレイ８には、カメラアングルが刻々と変化しつづける被写体２の画像が、リアルタイムに表示されている。」（段落【００４２】）
　「そして、使用者２が、ディスプレイ８の表示画像を見ながら被写体２の位置調整を完了した後に、操作部１６の調整完了ボタンを押すと（Ｓ６）、コンピュータ３０は、使用者２にポーズをとるように指示し、それから画像合成装置３４に画像合成の停止を指示する（Ｓ７）。このとき、ディスプレイ８には、そのときの合成画像が静止画像として表示される。」（段落【００４６】）
　「また、上記実施の形態において、記録媒体１５としては、・・・できる。また、上記実施の形態において、ライト１３としては、タングステンランプ，蛍光等，ストロボ等各種のものを用いることができる。」（段落【００５２】）
と記載され、図面【図１】には複数のライト１３を備えた写真自販機を読み取ることができる。
　これより引用例２には、
「タングステンランプ，蛍光灯，ストロボを用いる複数の光源から任意の光源を選択して被写体を照射し、被写体は、カメラを移動および回動し、リアルタイムに表示さる被写体の画像をディスプレイで確認し、静止画像として撮影し、合成し、印刷し、自動的に販売する、写真の販売方法。」の発明（以下、「引用発明２」という。）が記載されている。（段落【００５２】には「蛍光等」と記載されているが、引用文献２全体の記載からみて、「蛍光灯」の誤記である。」）
　
４．対比
　本願発明と引用発明１を比較すると、引用発明１における「前方照明部、後方照明部、被写体を左右側方から照明する側方照明部」は本願発明における「複数の照明手段」に相当し、以下同様に、「撮像データ画像」は「静止画の撮像画像」に、「撮影データ画像合成部」は「編集手段」に、「合成」は「編集」に、「撮影した像」は「編集した編集画像及び／又は前記静止画の撮像画像」に、「印刷部」は「印刷手段」に、「カメラ支持体」は「撮像ユニット」に、「カメラ」は「撮像装置」にそれぞれ対応する。
　そして、引用発明１における「カメラ支持体がガイドレールに沿って上下に移動し、首振りボタンにより、首振り動作をする」ことは、本願発明における「撮像ユニットの撮像位置及び／又は撮像角度の可動を許容して撮像すると共に、上下方向に移動可能かつ上下方向に角度変更可能」に相当するので、両者は、
「複数の照明手段で被写体を照明し、照明した前記被写体を撮像装置で撮像し、前記撮像した静止画の撮像画像を編集手段で編集し、編集した編集画像及び／又は前記静止画の撮影画像を印刷手段で印刷し、写真シールとするものであって、撮像ユニットの撮像位置及び／又は撮像角度の可動を許容して撮像すると共に、上下方向に移動可能かつ上下方向に角度変更可能な、撮像装置により撮影する方法。」という点で一致する。
　一方、本願発明は引用発明１とは以下の点で相違している。
（相違点１）照明した被写体を動画及び静止画として撮像手段で撮像する点
（相違点２）撮像している被写体の動画をディスプレイに表示する点
（相違点３）写真シールを販売する写真シール自動販売方法である点
（相違点４）複数の照明手段は上下方向に移動可能、かつ角度変更可能である点
（相違点５）複数の照明手段は白熱灯とストロボ照明装置をそれぞれ備えている点
（相違点６）複数の照明手段の移動および角度変更は撮像ユニットの移動および角度変更とは独立である点
（相違点７）動画の撮影時には少なくとも白熱灯で照明する点
（相違点８）被写体に動画を確認させる点
（相違点９）静止画の撮影時には少なくとも複数照明手段のストロボ照明装置並びにストロボ照明装置を備えた固定照明手段により被写体を照明する点
　
５．判断
　引用発明２において「リアルタイムに表示される被写体の画像」は「動画」に相当し、「写真」は「写真シール」に相当するので、引用発明２には、相違点１、相違点２，相違点３および相違点８の構成が開示されている。
　また、引用発明１は、カメラの動きとは独立に角度が調節できる複数の「前方照明部」、カメラの動きとは独立に上下に移動できる一つの「後方照明部」および複数（左右）の「側方照明部」を有していることから、複数の照明装置に対し、撮像ユニットの移動および角度変更とは独立に上下方向移動可能としたり、角度変更可能とすること、およびそれとは別に固定の照明装置を備えることは引用発明１において開示されている。
　そして、どの照明を上下方向移動とするか、あるいは角度変更可能とするか等の組み合わせは、それぞれの照明装置の特徴及び性能に応じ、決定されるものであり、設計時において当業者が容易に設定することができるものであり、相違点４、相違点６は単なる設計的事項である。
　さらに、引用発明２には、動画として撮影する場合および静止画として撮影する場合に、照明としてタングステンランプ（白熱灯に相当）やストロボを用いた複数のうちから選択できることが記載されていること、また動画の照明としてはストロボ照明装置を使用せず、静止画ではストロボ照明装置を使用することが一般的に行われていることを考慮すると、相違点５、相違点７、相違点９は引用発明２に開示されたものあるいは周知慣用されているものにすぎない。
　結局、引用発明１との相違点とした構成は、すべて、引用発明１または引用発明１と同一技術分野における発明である引用発明２により開示されているもの、あるいはそれらと当該技術分野における周知慣用技術を単に組み合わせたものであり、それらを組み合わせることにも何ら困難性はなく、当業者が設計的事項として容易に行うことできるか、もしくは容易に想到することができる程度のものであり、格別なものではない。
　また、本願発明が奏する効果につき、請求人は当審の拒絶理由に対する意見書において、
利用者の身長、人数に対応した適切な照明や、バリエーション豊かな効果の照明が可能となり、アミューズメント性が向上し、飽きずに何度でも楽しむことができることや、動画で確認することで利用者の好みの照明効果、角度等の設定ができることを主張しているが、引用例１の記載において、（カメラ移動機構により）「個人差にかかわらず、ユーザＭの全身のどの範囲までを写真に撮るか、希望の上下位置と角度にカメラ５０を移動させることができる。」、（複数の照明により）「全く異なる趣の写り方を醸し出すことができ、娯楽性がより高くなる。」としているし、引用例２の記載においても、「任意の光源を選択して被写体を撮影することにより、好みの色彩がかった変化に富んだ撮影が可能となり、利用者の多様なニーズに応えることができる。」、「被写体は、画像表示手段に映る自分の画像を見ながら好みのポーズをとることができる。」とされており、請求人の主張する本願発明の奏する効果についても当業者が引用例１、２に記載された発明から、当然予測できる範囲内のものと認められる。
　
６．むすび
　したがって、本願発明は、引用例１、２に記載された発明に基づいて当業者が容易に発明することができたものであるから、特許法第２９条第２項の規定により特許を受けることができない。
　よって、結論のとおり審決する。